(57)【要約】【課題】立体音響を再生するフィルタ係数が異なる音響再生機器を接続し、聞き手に立体感を感じさせることができる立体音響再生装置を提供する。【解決手段】音響再生機器２０の種別に応じたフィルタ係数を記憶する係数記憶手段１４と、接続された音響再生機器の種別を判別する接続機器判別手段１５と、音響再生機器２０の種別に対応するフィルタ係数を外部より取得して係数記憶手段１４に記録する係数取得制御手段１６と、元音信号を入力する元音信号入力手段１１と、音響再生機器２０の種別と係数記憶手段１４に記憶されたフィルタ係数とに応じて立体音響信号処理する立体音響処理手段１２と、立体音響信号を出力する音響信号処理手段１３を備える。  本構成により、音響再生機器２０に対応するフィルタ係数を外部より取得処理して、各機器に適切な立体音響を出力する。【選択図】図１
2008060616.tif 000002
【特許請求の範囲】
【請求項１】
音響データを出力する音響再生機器の種別に応じた立体音響用のフィルタ係数を記憶する係数記憶手段と、
音響再生機器の種別の入力を受ける、もしくは、音響再生機器の種別を音響再生機器より取得し、接続された音響再生機器の種別を判別する接続機器判別手段と、
前記接続機器判別手段にて判別した音響再生機器の種別に対応するフィルタ係数が前記係数記憶手段に記憶されていない場合に、外部の記憶手段より取得し、前記係数記憶手段に記録する係数取得制御手段と、
元音信号を入力する元音信号入力手段と、
前記接続機器判別手段にて判別した音響再生機器の種別と、記係数記憶手段に記憶されたフィルタ係数とに応じて、前記元音信号入力手段にて入力された元音信号に立体音響効果をつける立体音響信号処理して立体音響信号を生成する立体音響処理手段と、
前記立体音響処理手段にて生成した立体音響信号を出力する音響信号処理手段と
を具備することを特徴とする立体音響再生装置。
【請求項２】
前記係数取得制御手段は、立体音響再生装置の種別を新たに記憶し、外部の記憶手段よりフィルタ係数を取得する際に、音響再生機器の種別と立体音響再生装置の種別とに応じてフィルタ係数を取得するようにしたことを特徴とする請求項１記載の立体音響再生装置。
【請求項３】
請求項１または２記載の立体音響再生装置を具備し、前記立体音響再生装置の出力する立体音響信号を内部スピーカもしくは外部に出力可能なオーディオ出力部をさらに備えた立体音響再生システムであって、前記音響再生機器の種別を判別し、判別した種別に対応するフィルタ係数を保持していない場合には外部の記憶手段より取得し、あらかじめ記憶している元音信号を含むコンテンツもしくは外部の記憶手段より受信した元音信号を含むコンテンツについて、内部のスピーカもしくは先に判別した前記音響再生機器の種別に対応するフィルタ係数を用いて立体音響信号を生成し出力することを特徴とする立体音響再生システム。
【請求項４】
請求項１または２記載の立体音響再生装置を具備し、前記立体音響再生装置の出力する立体音響信号を内部スピーカもしくは外部に出力可能なオーディオ出力部をさらに備えた立体音響再生システムであって、少なくとも元音信号データとフィルタ係数とを含むコンテンツを取得し、元音信号データについて受信したコンテンツに含まれるフィルタ係数にて立体音響信号処理して立体音響信号を生成し、内部スピーカもしくは外部へ立体音響信号を出力することを特徴とする立体音響再生システム。
【請求項５】
表示データをさらに含む前記コンテンツを受信し、受信した前記コンテンツに含まれる表示データより映像信号を生成し、内部モニタもしくは外部へ生成した映像信号を出力するコンテンツ表示処理部をさらに備えたことを特徴とする請求項４記載の立体音響再生システム。
【請求項６】
請求項１または２に記載の立体音響再生装置を具備する携帯無線端末。
【請求項７】
請求項３から５のいずれかに記載の立体音響再生システムを具備する携帯無線端末。
【発明の詳細な説明】
【技術分野】
【０００１】
本発明は立体音響再生装置に関し、特に、音響データを出力する音響再生機器に適した立体音響効果のある音響信号を生成する立体音響再生装置に関する。
【背景技術】
【０００２】
音響再生機器への出力信号を制御して、聞き手が音源の音を聴いたときにその音の方向や距離を認識させる、仮想的な音響空間を再現する立体音響再生装置がすでに実用化されている。図１０にその原理方式を示す。図１０では、元音信号（Ｓ０）を聞き手（Ｒ）の右前方の位置から聞こえるようにするときの立体音響再生装置の構成を示している。聞き手（Ｒ）には、２つのスピーカ（ＳＰ１、ＳＰ２）を用いて立体音響を聞かせる。スピーカ（ＳＰ１、ＳＰ２）については、フィルタ（ＦＩＲ１、ＦＩＲ２）と、ＤＡコンバータ（ＤＡＣ１、ＤＡＣ２）を用いて、元音信号に対し、たとえば、インパルス応答測定結果に基づく疑似的な伝達関数であるＦＩＲフィルタ（Ｆｉｎｉｔｅ  Ｉｍｐｕｌｓｅ  Ｒｅｓｐｏｎｓｅ  ｆｉｌｔｅｒ:有限インパルス応答フィルタ）を、頭部伝達関数として付加するよう信号処理することにより、聴感上、実際に拡声しているスピーカ位置とは異なる位置（Ｓ１）に音源があるかのように、聞き手Ｒに聞こえさせることができる。この処理により現れる仮想的な音源を、仮想音源と呼び、立体音響処理により音源を仮想音源に配置させることを、音像の定位という。
【０００３】
また、スピーカをヘッドフォンに置きかえるというように、接続した機器を変更して再生特性であるモード特性が異なる音響再生機器で音響再生する場合にも適切な信号を生成して、聞き手に対して音像定位を継続させる技術として、次のようなものが知られている。すなわち、音響再生機器のモード特性として、その機器のスピーカ用とヘッドフォン用の信号演算の処理手順とフィルタ係数とをあらかじめ記憶しておき、信号の基本出力先をスピーカと想定している構成において、ヘッドフォンジャックにピンプラグが挿され、信号の出力先が変更されたことを検知し、スピーカ用からヘッドフォン用へモード特性に応じたフィルタ係数に設定変更して元音信号を演算処理することによって、モード切替え時も臨場感を損なわないようにしている（例えば特許文献１参照）。
【特許文献１】特開平１０−７０７９５号公報（第７頁、図１）
【発明の開示】
【発明が解決しようとする課題】
【０００４】
しかしながら、上記従来技術では、装置に接続されているスピーカと、ヘッドフォンジャックを介して接続するヘッドフォンとの間で、フィルタ係数を切替えるにとどまり、異なる特性を持つスピーカや家電機器に内蔵されたスピーカなどを接続した場合に、その機器の種別や、信号処理の機能や能力に応じて適切な演算手順とフィルタ係数を選択して、家電機器など各種音響再生機器を接続したときに適切な定位効果を得るよう音響信号を生成する方法については示しておらず、示唆もない。
【０００５】
また、スピーカの種類や２つのスピーカ間の音孔距離、あるいは、音像を定位させる位置によって頭部伝達関数が異なることから、頭部伝達関数によって一意に決まるフィルタ係数は、音響機器の種類やスピーカなどの配置状況、定位位置に応じて多数用意する必要がある。そのため、演算手順とフィルタ係数の取得方法については、ＲＯＭなどの立体音響再生装置内部の記憶手段やＣＤ−ＲＯＭなどの外部記憶手段を参照する、あるいは、他のコンピュータより取得することになるが、機器状況に応じて適切なフィルタ係数を選択、取得して、接続した機器の状況に応じて適切な定位効果を得る音響信号を生成するのは簡単に実行できる作業ではないという問題があった。
【０００６】
本発明は、音響信号の出力先に接続された音響再生機器の種別に応じて、さらには、信号処理手段の立体音響処理機能や能力に応じてフィルタ係数を設定し、立体音響効果のある音響信号を生成する立体音響再生装置を提供することを目的とする。
【０００７】
また、通信端末装置として、外部のサーバもしくは接続された音響再生機器などから元音信号を含むコンテンツを受信し、コンテンツに含まれる元音信号データを接続されている音響再生機器の特性に応じて立体音響信号処理する立体音響再生システムを提供することを目的とする。
【０００８】
また、携帯無線端末として、コアネットワーク上のサーバなどより、表示データと、元音信号データとフィルタ係数を含むアプリケーションコンテンツをダウンロードし、接続されたテレビなどの映像音響再生機器に表示信号、ならびに、特性に応じた立体音響信号を出力する立体音響再生システムを提供することを目的とする。
【課題を解決するための手段】
【０００９】
本発明の目的を達成するために、本発明の立体音響再生装置は、音響データを出力する音響再生機器の種別に応じた立体音響用のフィルタ係数を記憶する係数記憶手段と、音響再生機器の種別の入力を受ける、もしくは、音響再生機器の種別を音響再生機器より取得し、接続された音響再生機器の種別を判別する接続機器判別手段と、接続機器判別手段にて判別した音響再生機器の種別に対応するフィルタ係数が係数記憶手段に記憶されていない場合に、外部の記憶手段より取得し、係数記憶手段に記録する係数取得制御手段と、元音信号を入力する元音信号入力手段と、接続機器判別手段にて判別した音響再生機器の種別と、係数記憶手段に記憶されたフィルタ係数とに応じて、元音信号入力手段にて入力された元音信号に立体音響効果をつける立体音響信号処理して立体音響信号を生成する立体音響処理手段と、立体音響処理手段にて生成した立体音響信号を出力する音響信号処理手段を備える。
【００１０】
また、本発明の立体音響再生装置を搭載する立体音響再生システムは、立体音響データとフィルタ係数に基づいて立体音響信号を生成する立体音響処理部と、ユーザ操作の入力を受ける操作入力部と、外部の記憶手段であるサーバとコンテンツや係数などのデータ通信するデータ通信部と、データを記憶する記録部と、立体音響再生システムの全体を制御する制御部と、音響再生機器とデータ通信する機器通信部と、入力された立体音響信号を内部スピーカもしくは外部に出力するオーディオ出力部を備える。
【００１１】
また、本発明の立体音響再生装置を搭載する立体音響再生システムは、内部モニタもしくは外部に出力するコンテンツ表示処理部を新たに備える。
【発明の効果】
【００１２】
本発明は、ユーザの操作入力もしくは機器の接続を受けて音響再生機器の種別を判別し、対応するフィルタ係数を保持していない場合には外部のサーバより取得処理し、あらかじめ記憶している元音信号もしくは外部より受信した元音信号について、先に判別した種別に対応するフィルタ係数を用いて立体音響処理し、生成した立体音響信号を音響再生機器に出力することにより、接続された音響再生機器に適した立体音響効果音を再生する効果のある立体音響再生装置を提供することができる。
【００１３】
また、本発明は、内部にスピーカなどの音響出力部と音響再生機器に音響出力が可能なオーディオ出力部を新たに備えて構成することにより、外部のサーバもしくは接続された音響再生機器などから元音信号を含むコンテンツを受信し、コンテンツに含まれる元音信号データを接続されている音響再生機器の特性に応じて立体音響信号処理する立体音響再
生システムを提供することができる。
【００１４】
また、本発明は、表示データと、少なくとも元音信号データと、フィルタ係数を含むコンテンツを取得し、含まれるコンテンツに応じた表示処理ならびに音響処理し、接続されたテレビなどの映像音響再生機器に表示信号、ならびに、特性に応じた立体音響信号を出力する立体音響再生システムを提供することができる。
【発明を実施するための最良の形態】
【００１５】
（実施の形態１）
本発明の立体音響再生装置は、元音信号の入力を受け、音響信号の出力先に接続された音響再生機器の特性に応じて、適切なフィルタ係数を選択して立体音響処理し、音響データを出力している。以下、本発明の実施の形態にかかる立体音響再生装置について、図面を用いて説明する。
【００１６】
図１は、本実施の形態にかかる立体音響再生装置の構成を示すブロック図である。図１において、立体音響再生装置１０は、スピーカやヘッドフォンなどの音響再生機器２０の種別に応じた立体音響用のフィルタ係数を記憶するための係数記憶手段１４と、音響再生機器２０の種別を判別する接続機器判別手段１５と、音響再生機器２０に対応するフィルタ係数が係数記憶手段１４に記憶されていない場合に、外部の記憶手段であるサーバ３０より取得し、係数記憶手段１４に記録する係数取得制御手段１６を設けている。接続機器判別手段１５は、音響再生機器２０の種別について、ユーザの指示入力、もしくは、音響再生機器２０と通信をして接続された音響再生機器２０の種別を判別している。係数取得制御手段１６は、接続機器判別手段１５にて判別した音響再生機器２０の種別に対応するフィルタ係数が、係数記憶手段１４に記憶されていない場合に、外部のサーバ３０より取得し、係数記憶手段１４に記録する。
【００１７】
また、立体音響再生装置１０は、元音信号を入力する元音信号入力手段１１と、立体音響処理する立体音響処理手段１２と、音響信号を出力する音響信号出力手段１３を備えている。元音信号入力手段１１は、元音信号を入力し、立体音響処理手段１２は、接続機器判別手段１５にて判別した音響再生機器の種別と、係数記憶手段１４に記憶されたフィルタ係数とから、元音信号入力手段１１にて入力された元音信号に立体音響効果をつける立体音響信号処理して立体音響信号を生成する。音響信号出力手段１３は、立体音響処理手段１２にて生成した立体音響信号を音響再生機器２０に出力している。
【００１８】
図２に、本発明にかかる立体音響再生装置１０の各手段間で授受するデータ構造を示す。図２（ａ）は、音響再生機器２０の種別を表す機器種別情報４１のデータ構造を示している。音響再生機器２０の種別は、接続機器判別手段１５にて判別される。図２（ａ）では、音響再生機器２０の種別が「ａ」である例を示している。
【００１９】
図２（ｂ）は、フィルタ係数４２のデータ構造を示している。フィルタ係数４２は、あらかじめ係数記憶手段１４に記憶されるものと、係数取得制御手段１６にて外部のサーバ３０より取得されて係数記憶手段１４に記憶されるものがある。そして立体音響処理手段１２に読み込まれ立体音響処理に使用する。図２（ｂ）では、フィルタ係数が「α」である例を示している。
【００２０】
図２（ｃ）は、係数記憶手段１４に記憶されるフィルタ係数テーブル４３の構造を示している。フィルタ係数テーブル４３の各レコードは、音響再生機器の機器種別情報４１と、それに対応するフィルタ係数４２とで構成される。図２（ｃ）では、音響再生機器２０の種別が「ａ」である場合のフィルタ係数が「α１」、音響再生機器２０の種別が「ｂ」である場合のフィルタ係数が「α２」、音響再生機器２０の種別が「ｃ」である場合のフ
ィルタ係数が「α３」、である例を示している。
【００２１】
次に、本発明の立体音響再生装置１０の動作について図３を用いて説明する。図３に、立体音響再生装置１０の音響処理のフローチャートを示す。
【００２２】
まず、処理が始まると、接続機器判別手段１５は、内部設定を確認し（ステップＳ５０１）、音響信号を音響再生機器２０に出力する場合には、接続機器判別手段１５にて、音響再生機器２０と通信して種別を判別する（ステップ５０２）。
【００２３】
つづいて、係数取得制御手段１６にて、接続機器判別手段１５にて判別した音響再生機器２０の種別に対応するフィルタ係数が係数記憶手段１４のフィルタ係数テーブル４３にすでに記憶されているかを判定し（ステップＳ５０３）、記憶されていなければ、ネットワーク９０を経由して接続されている外部のサーバ３０より、フィルタ係数４２を検索取得し、係数記憶手段１４のフィルタ係数テーブル４３に記憶する（ステップ５０４）。
【００２４】
つづいて、立体音響処理手段１２は、接続機器判別手段１５にて判別した音響再生機器の機器種別情報４１を元に、係数記憶手段１４に記憶しているフィルタ係数テーブル４３を検索して、音響再生機器２０に対するフィルタ係数４２を取得し、内部に設定する（ステップ５０５）。
【００２５】
つづいて、元音信号入力手段１１より元音信号が入力されると、立体音響処理を開始して（ステップＳ５０６）、立体音響処理手段１２にて先のフィルタ係数４２にもとづいて信号処理し（ステップＳ５０７）、音響信号出力手段１３より音響再生機器２０に立体音響信号を出力する（ステップＳ５０８）。
【００２６】
なお、ステップＳ５０１にて、出力しない設定の場合には処理を終了する。
【００２７】
以上説明したように本発明の実施の形態では、音響信号の出力先に接続された音響再生機器を判別し、音響再生機器の特性に応じた適切なフィルタ係数を必要に応じて外部のサーバから取得し、元音信号の入力を受け、先のフィルタ係数で立体音響処理し、音響再生機器に立体音響信号を出力している。
【００２８】
なお、上記実施の形態の説明では、接続機器判別手段１５が、音響再生機器２０より型番など機器固有の情報を受けて種別を判別する形態について説明したが、ユーザから入力を受けて種別を判別する形態としても、上記実施の形態と同様の効果を奏する。
【００２９】
また、上記実施の形態の説明では、係数取得制御手段１６にてフィルタ係数を外部のサーバ３０より取得する形態としたが、立体音響再生装置１０の周辺機器として設けた大容量の二次記憶装置から取得する形態や、音響再生機器２０と通信して取得するようにしても、上記実施の形態と同様の効果を奏する。
【００３０】
（実施の形態２）
以下、本発明の第二の実施の形態にかかる立体音響再生装置について説明する。立体音響処理手段１２を含む信号処理機能や能力が必ずしも同一でない立体音響再生装置、すなわち、異なる種別の立体音響再生装置を混在して動作させるときの構成を図４に示す。図４には、機器種別「ａ」の音響再生機器２０ａが装置種別「Ａ」の立体音響再生装置１０Ａに接続され、機器種別「ｂ」の音響再生機器２０ｂが装置種別「Ｂ」の立体音響再生装置１０Ｂに接続され、機器種別「ｃ」の音響再生機器２０ｃが装置種別「Ｃ」の立体音響再生装置１０Ｃに接続されている。そして、各音響再生装置２０ａ、２０ｂ、２０ｃがそれぞれネットワーク９０を介して、サーバ３０と接続されている。
【００３１】
図５に、本発明の第二の実施の形態にかかる立体音響再生装置１０の各手段間で授受するデータ構造を示す。
【００３２】
図５（ａ）は、本発明の第二の実施の形態にかかる立体音響再生装置１０の種別を表す装置種別情報４４のデータ構造例を示している。装置種別情報４４は、主に立体音響処理手段１２の機能や能力など、立体音響再生装置１０の種別を表すデータとして、接続機器判別手段１５に記憶される。図５（ａ）では、立体音響再生装置１０の種別が「Ａ」である例を示している。
【００３３】
図５（ｂ）は、本発明の第二の実施の形態にかかる立体音響再生装置１０がアクセスするサーバ３０に記憶されるフィルタ係数データベース４５の構造例を示している。フィルタ係数データベース４５の各レコードは、装置種別情報４４と機器種別情報４１の組合せと、それに対応するフィルタ係数４２とで構成される。図５（ｂ）では、立体音響再生装置１０の種別が「Ａ」で、かつ、音響再生機器の種別が「ａ」であるときに、フィルタ係数が「α１１」、立体音響再生装置１０の種別が「Ａ」で、かつ、音響再生機器の種別が「ｂ」であるときに、フィルタ係数が「α１２」、立体音響再生装置１０の種別が「Ａ」で、かつ、音響再生機器の種別が「ｃ」であるときに、フィルタ係数が「α１３」、である例を示している。同様に、立体音響再生装置１０の種別が「Ｂ」、かつ、音響再生機器の種別が「ａ」であるときに、フィルタ係数が「α２１」、立体音響再生装置１０の種別が「Ｂ」、かつ、音響再生機器の種別が「ｂ」であるときに、フィルタ係数が「α２２」、立体音響再生装置１０の種別が「Ｂ」、かつ、音響再生機器の種別が「ｃ」であるときに、フィルタ係数が「α２３」、である。
【００３４】
次に、本発明の第二の実施の形態にかかる立体音響再生装置１０の動作を説明する。基本動作は、上記実施の形態１とほぼ同様であるが、図３のステップＳ５０４、すなわち、フィルタ係数４２を外部のサーバ３０より検索取得する際に、装置種別情報４４を検索条件として追加して用いる点が、一部異なっている。フィルタ係数を検索した後に、係数記憶手段１４のフィルタ係数テーブル４３に記憶する処理以降は、本発明の実施の形態１と同様である。
【００３５】
以上説明したように本発明の第二の実施の形態では、立体音響処理装置の種別を新たに別途記憶するようにし、音響再生機器２０の種別とともに、フィルタ係数の検索条件に用いて外部の係数サーバを検索し、立体音響処理手段１２を含む信号処理機能や能力が必ずしも同一でない立体音響装置、すなわち、異なる機種の立体音響再生装置１０を混在して動作している。
【００３６】
（実施の形態３）
以下、本発明の第三の実施の形態にかかる立体音響再生装置について説明する。図６は、本発明の第三の実施の形態にかかる立体音響再生装置を搭載する立体音響再生システム６０の構成を示している。立体音響再生システム６０は、立体音響データとフィルタ係数に基づいて立体音響信号を生成する立体音響処理部６７、ユーザ操作の入力を受ける操作入力部６１、外部の記憶手段であるサーバ３０と通信しコンテンツやフィルタ係数などを取得するデータ通信部６２、データを記憶する記録部６３、立体音響再生システム６０の全体を制御する制御部６４、音響再生機器２０とデータ通信する機器通信部６５、入力された立体音響信号を内部スピーカもしくは外部に出力するオーディオ出力部６６より構成される。また、音響再生機器２０は、立体音響再生システム６０と通信する機器制御部２１と、オーディオ信号を入力する音響入力部２２、ならびに、ＤＡコンバータ、スピーカなどで構成される。
【００３７】
こうした構成で、立体音響再生システム６０は、まず、操作入力部６１よりユーザの操作入力を受けるか、もしくは、機器通信部６５を介して機器と通信して音響再生機器２０の種別を判別する。ここで、判別した音響再生機器２０の種別に対応するフィルタ係数をデータ記憶部６３に保持していない場合には、データ通信部６２を通じて外部のサーバ３０より取得処理し、記録する。そして、あらかじめデータ記録部６３に記憶している元音信号を含むコンテンツ、もしくは、データ通信部６２を介してサーバ３０より受信した元音信号を含むコンテンツについて、機器の種別に対応するフィルタ係数を用いて音響処理する。オーディオ出力部６６は、生成した立体音響信号を内部スピーカもしくは音響再生機器２０に出力する。
【００３８】
次に、本発明の第三の実施の形態にかかる立体音響再生システム６０の動作について図７を用いて説明する。図７に、立体音響再生システム６０の立体音響処理部６７、および、オーディオ出力部６６における処理のフローチャートを示す。
【００３９】
まず、処理の開始後、立体音響処理部６７は、内部設定の音響信号の出力先が、外部の音響生成機器２０になっているか、それとも、外部に出力せず内部スピーカへの出力となっているか、を判定する（ステップＳ５０１）。音響再生機器２０への出力となっている場合には、実施の形態１で説明した立体音響再生装置の動作フローと同様の処理を実施し、オーディオ出力部６６より音響再生機器２０に立体音響信号を出力する（ステップＳ５０２からＳ５０８）。
【００４０】
つづいて、ステップ５０１にて出力先を内部スピーカと判定した場合には、元音信号の入力を受けて立体音響処理を開始して（ステップＳ５０９）、あらかじめ設定してある内部スピーカ用のフィルタ係数４２にもとづいて信号処理し（ステップＳ５１０）、内部スピーカに立体音響信号を出力する（ステップＳ５１１）。
【００４１】
以上説明したように、本発明の第三の実施の形態では、入力された立体音響信号を内部スピーカもしくは外部に出力するオーディオ出力部を新たに備え、内部にスピーカなどの音響出力機能を有する第１の音響再生機器を構成し、外部に第２の音響再生機器を接続する形態で、内部スピーカもしくは外部の第２の音響再生機器に適したフィルタ係数で立体音響処理し、立体音響信号を出力している。
【００４２】
なお、上記実施の形態では、あらかじめデータ記録部６３に記憶している元音信号を含むコンテンツ、もしくは、データ通信部６２を介してサーバ３０より受信した元音信号を含むコンテンツとしたが、図６に示すように、立体音響再生システム６０にＣＤ−ＲＯＭドライブやハードディスクなどの周辺機器３１を設けてコンテンツを取得する形態、あるいは、音響再生機器２０に同じくＣＤ−ＲＯＭドライブやハードディスクなどの周辺機器３２を設けて機器制御部２１ならびに機器通信部６５を介してコンテンツを取得する形態としても同様の効果を奏する。
【００４３】
（実施の形態４）
以下、本発明の第四の実施の形態にかかる立体音響再生装置について説明する。図８は、本発明の第四の実施の形態にかかる立体音響再生装置を搭載する立体音響再生システム７０の構成を示している。立体音響再生システム７０の構成は、立体音響データとフィルタ係数に基づいて立体音響信号を生成する立体音響処理部７７、ユーザ操作の入力を受ける操作入力部７１、外部の記憶手段であるサーバ３０と通信しコンテンツやフィルタ係数などを取得する無線データ通信部７２、データを記憶する記録部７３、立体音響再生システム７０の全体を制御する制御部７４、音響映像再生機器２９とデータ通信する機器通信部７５、入力された立体音響信号を内部スピーカもしくは外部に出力するオーディオ出力部７６に加え、入力された表示データを映像処理して内部モニタもしくは外部に出力する
コンテンツ表示処理部７８を設けた構成をしている。なお、本実施の形態では、実施の形態３で説明した立体音響再生システム６０の構成とほぼ同じであるが、立体音響再生システムとして携帯電話などの携帯無線端末を想定して、データ通信部を無線データ通信部７２としている。また、入力された表示データを映像処理して内部モニタもしくは外部に出力するコンテンツ表示処理部７８を新たに設け、映像ならびに音響を再生する機器として、テレビなどの音響映像再生機器２９を接続している。音響映像再生機器２９は、立体音響再生システム７０と通信する機器制御部２１と、オーディオ信号を入力する音響入力部２２、ならびに、ＤＡコンバータ、スピーカなどを有し、さらに、映像データの入力を受けて表示モニタに表示する映像入力部２３を新たに設けた構成をしている。
【００４４】
次に、本発明の第四の実施の形態にかかる立体音響再生装置を搭載する立体音響再生システム７０で処理するコンテンツ８０について説明する。図９は、立体音響再生システム７０で処理するコンテンツ８０の構造例を示している。コンテンツ８０は、プログラムデータＰを含むアプリ部８１、および、表示データＤ１、元音データＤ２、フィルタ係数データＤ３を含むデータ部８２で構成される。プログラムデータＰは、データ処理や、ユーザとの入出力処理、コンテンツの表示処理などするプログラムコードである。また、表示データＤ１は、ビデオや、イメージ、図形などの表示データであり、元音データＤ２は、音楽や、音声、効果音などの音響データである。また、フィルタ係数データＤ３は、フィルタ係数である。
【００４５】
このような構成で、本発明の第四の実施の形態にかかる立体音響再生装置を搭載する立体音響再生システム７０でコンテンツ８０を処理する動作について説明する。制御部７４は、サーバ３０からコンテンツ８０を取得すると、プログラムデータＰに応じてデータ処理、たとえば、操作入力部７１でのユーザ操作の入力処理や、コンテンツ表示処理部７８での表示データＤ１の表示出力処理、立体音響処理部７７での元音データＤ２の立体音響処理を開始する。ここで、元音データＤ２の立体音響処理に関する基本処理動作は、実施の形態３とほぼ同様であるが、図７のステップＳ５０３からＳ５０５に示したサーバからフィルタ係数を取得して決定する処理において、コンテンツ８０にフィルタ係数データＤ３が含まれている場合にはそれを立体音響処理の係数として決定する点が異なっている。このようにして、コンテンツ８０に含まれる表示データＤ１および元音データＤ２より、音響映像再生機器２９に適した映像信号および立体音響信号を生成し出力する。
【００４６】
以上説明したように、本発明の第四の実施の形態では、入力された表示データを映像処理して内部モニタもしくは外部に出力するコンテンツ表示処理部７８を新たに設けた構成で、プログラムデータや表示データ、元音データ、フィルタ係数データを含む構造のコンテンツを処理し、接続された映像音響再生機器に表示信号ならびに立体音響信号を出力している。
【００４７】
こうして、本発明の第四の実施の形態の実施により、ユーザは、立体音響効果の付いたコンテンツをサイトから携帯電話などの携帯無線端末にダウンロードして保存して、自動的に更新したり、ネットワークと接続していないときに、再生したりする場合に、携帯無線端末とテレビなどの映像音響再生機器をケーブルで接続し、立体音響音とともに映像をテレビの画面やスピーカで再生することができるという効果を得る。
【００４８】
なお、上記実施の形態では、制御部７４が、アプリ部８１のプログラムデータＰに応じて表示処理ならびに音響処理制御するとしたが、アプリ部８１を含まずデータ部８２のみで構成されるコンテンツを受信して、表示データＤ１と元音データＤ２をそれぞれコンテンツ表示処理部７８と立体音響処理部７７へ転送し、データ処理するようにしても同様の効果を奏することは言うまでもない。また、フィルタ係数データＤ３を含まないコンテンツを受信した場合には、別途取得処理をするようにしても同様の効果を奏することはいう
までもない。
【００４９】
また、音響映像再生機器２９に出力するコンテンツデータの表示データＤ１と元音データＤ２を処理して、映像データのみを外部に出力して音響データは内部スピーカに出力する、あるいは、その逆に音響データのみを外部に出力して映像データは内部モニタに出力する、など、どちらか一方のみを外部に出力するようにしてもよい。
【００５０】
また、無線携帯端末とテレビ間の接続にケーブルなどの有線手段に変え、短距離無線などの無線手段を使用してもよい。
【００５１】
また、無線携帯端末のモニタ画面やスピーカからテレビなど映像音響再生機器の画面やスピーカへ出力先を切替える処理は、ユーザからの操作指示のほか、近接する機器を検知して自動的に切替えるようにしてもよい。
【図面の簡単な説明】
【００５２】
【図１】本発明の実施の形態１にかかる立体音響再生装置の構成を示すブロック図
【図２】（ａ）本発明の実施の形態１にかかる立体音響再生装置で処理する機器種別データの構造例を示す図（ｂ）本発明の実施の形態１にかかる立体音響再生装置で処理するフィルタ係数の構造例を示す図（ｃ）本発明の実施の形態１にかかる立体音響再生装置で処理するフィルタ係数テーブルの構造例を示す図
【図３】本発明の実施の形態１にかかる立体音響再生装置の全体処理のフローチャート
【図４】本発明の実施の形態２にかかる立体音響再生装置をネットワーク接続する構成例を示すブロック図
【図５】（ａ）本発明の実施の形態２にかかる立体音響再生装置で処理する装置種別データの構造例を示す図（ｂ）本発明の実施の形態２にかかる立体音響再生装置で処理する立体音響再生装置が検索する外部記憶手段内フィルタ係数データベースの構造例を示す図
【図６】本発明の実施の形態３にかかる立体音響再生装置を搭載する立体音響システムの構成を示すブロック図
【図７】本発明の実施の形態３にかかる立体音響再生装置を搭載する立体音響システムの処理のフローチャート
【図８】本発明の実施の形態４にかかる立体音響再生装置を搭載する立体音響システムの構成を示すブロック図
【図９】本発明の実施の形態４にかかる立体音響再生装置を搭載する立体音響システムで処理するコンテンツの構造例を示す図
【図１０】従来技術における元音信号を立体音響処理して聞き手が音像を定位する原理の概念図
【符号の説明】
【００５３】
１０  立体音響再生装置
２０  音響再生機器
２９  音響映像再生機器
３０  サーバ
３１、３２  周辺機器
４１  機器種別情報
４２  フィルタ係数
４３  フィルタ係数テーブル
４４  装置種別情報
４５  フィルタ係数データベース
６０、７０  立体音響再生システム
８０  コンテンツ
９０  ネットワーク
【図１】
2008060616.tif 000003
【図２】
2008060616.tif 000004
【図３】
2008060616.tif 000005
【図４】
2008060616.tif 000006
【図５】
2008060616.tif 000007
【図６】
2008060616.tif 000008
【図７】
2008060616.tif 000009
【図８】
2008060616.tif 000010
【図９】
2008060616.tif 000011
【図１０】
2008060616.tif 000012